(57)【要約】【課題】本発明の目的は、外反母趾等、足の骨格が崩れることから生ずる弊害を防止または緩和するために足のアーチをサポートする隆起部の位置を足の形状、状態に合わせて自在に位置変更をすることが可能な靴底または靴の中敷を提供することにある。【解決手段】本発明に係る靴用外反母趾防止体は、足裏の内側縦アーチに対応する隆起部及び足裏の横アーチに対応する隆起部を備えた靴用外反母趾防止体であって、該足裏の内側縦アーチに対応する隆起部を備えた基体と、前記足裏の横アーチに対応する隆起部を備えた基体とは分離しており、前記足裏の内側縦アーチに対応する隆起部を備えた基体に対して、上記足裏の横アーチに対応する隆起部の位置を所定位置に調整して固定可能な位置調整固定手段を備えたことを特徴とする。【選択図面】  図１
2005287726.tif 000002
【特許請求の範囲】
【請求項１】
足裏の内側縦アーチに対応する隆起部及び足裏の横アーチに対応する隆起部を備えた靴用外反母趾防止体であって、該足裏の内側縦アーチに対応する隆起部を備えた基体と、前記足裏の横アーチに対応する隆起部を備えた基体とは分離しており、前記足裏の内側縦アーチに対応する隆起部を備えた基体に対して、上記足裏の横アーチに対応する隆起部の位置を所定位置に調整して固定可能な位置調整固定手段を備えたことを特徴とする靴用外反母趾防止体。
【請求項２】
上記足裏の内側縦アーチに対応する隆起部を備えた基体に、位置調整用の直線状又は曲線状の透孔又は溝を複数設けるとともに、該透孔又は溝にスライド可能に嵌合する突条を上記足裏の横アーチに対応する隆起部を備えた基体に設け、かつ該足裏の横アーチに対応する隆起部の位置を所定位置で固定する両面テープ、接着剤等の接着手段を設けたことを特徴とする請求項１記載の靴用外反母趾防止体。
【請求項３】
上記足裏の内側縦アーチに対応する隆起部を備えた基体及び上記足裏の横アーチに対応する隆起部を備えた基体は、中敷又は靴の中底であることを特徴とする請求項１又は２記載の靴用外反母趾防止体。
【発明の詳細な説明】
【技術分野】
【０００１】
本発明は、外反母趾等の疾患の予防もしくは悪化を防ぐための隆起を備えた靴の中敷又は中底に関し、特に足の形状によって隆起部の位置調節の可能な靴の中敷および中底に関する。
【背景技術】
【０００２】
近年外反母趾等の足の骨格のくずれ、また足の骨格のくずれから生ずる疾患が注目されている。そこで従来より外反母趾等の足の骨格のくずれ、また足の骨格のくずれから生ずる疾患を予防、もしくは悪化を防ぐための発明は多くなされており、外反母趾の予防、症状の緩和を目的とした靴や靴下、足の骨格を矯正するサポーター等様々な製品が開発されてきた。
【０００３】
その中で、外反母趾等の足の骨格が崩れることによる弊害の予防、もしくは悪化を防ぐために足裏のアーチをサポートする隆起を設けた靴の中敷、また足裏の土踏まずやツボを刺激するための突起を設けた靴の中敷の発明もなされている。
【０００４】
【特許文献１】特開平１１−１４６８０２
【特許文献２】特開２００１−３５３００５
【特許文献３】特開２００３−２１０２０６
【発明の開示】
【発明が解決しようとする課題】
【０００５】
しかし、上記従来技術の靴の中敷は隆起部もしくは突起部の位置が固定されており、個々の足の形状や状態に合わせて隆起部を設けるためには製作段階で隆起部もしくは突起部の位置を調節しなければならず、製品化した後で足の形状や状態に合わせて隆起部の位置の変更することは不可能であった。
【０００６】
外反母趾等、足の骨格が崩れることから生ずる弊害を防止または緩和するために足のアーチをサポートする隆起部の位置を足の形状、状態に合わせて自在に位置変更をすることが可能な靴底または靴の中敷は存在していなかった。
【課題を解決するための手段】
【０００７】
上記従来技術における問題点を解決するために、本発明では足裏の内側縦アーチに対応する隆起部及び足裏の横アーチに対応する隆起部を備えた靴用外反母趾防止体であって、該足裏の内側縦アーチに対応する隆起部を備えた基体と、前記足裏の横アーチに対応する隆起部を備えた基体とは分離しており、前記足裏の内側縦アーチに対応する隆起部を備えた基体に対して、上記足裏の横アーチに対応する隆起部の位置を所定位置に調整して固定可能な位置調整固定手段を備えたことを特徴とする靴用外反母趾防止体を提供する。
【０００８】
また、本発明では上記足裏の内側縦アーチに対応する隆起部を備えた基体に、位置調整用の直線状又は曲線状の透孔又は溝を複数設けるとともに、該透孔又は溝にスライド可能に嵌合する突条を上記足裏の横アーチに対応する隆起部を備えた基体に設け、かつ該足裏の横アーチに対応する隆起部の位置を所定位置で固定する両面テープ、接着剤等の接着手段を設けたことを特徴とする請求項１記載の靴用外反母趾防止体を提供する。
【０００９】
上記足裏の内側縦アーチに対応する隆起部を備えた基体及び上記足裏の横アーチに対応する隆起部を備えた基体は、中敷又は靴の中底であることを特徴とする。
【発明の効果】
【００１０】
足裏の内側縦アーチに対応する隆起部を備えた基体と、前記足裏の横アーチに対応する隆起部を備えた基体とを分離し、前記足裏の内側縦アーチに対応する隆起部を備えた基体に対して、上記足裏の横アーチに対応する隆起部の位置を所定位置に調整して固定可能であるため、個々の足の形状、また状態に応じて足裏の内側縦アーチ及び横アーチの位置に対応する隆起部の位置の調整が可能となり、本発明の靴用外反母趾防止体を靴の中底、あるいは靴の中敷として用いることで足裏の内側縦アーチ及び横アーチのサポートをより的確に行うことができ、外反母趾等の足の骨格の崩れの防止、緩和に役立つ。
【００１１】
足裏の内側縦アーチに対応する隆起部を備えた基体に、位置調整用の直線状又は曲線状の透孔又は溝を複数設けるとともに、該透孔又は溝にスライド可能に嵌合する突条を上記足裏の横アーチに対応する隆起部を備えた基体に設けたことで、足裏の横アーチを前後左右或いは斜め方向その他の任意の所望する方向に自在に動かし固定することが可能となり、足裏の内側縦アーチ及び横アーチのサポートをより的確に行うことができる。
【００１２】
また足裏の横アーチに対応する隆起部の位置を所定位置で固定する両面テープ、接着剤等の接着手段を設けたことで、分離した内側縦アーチに対応する隆起部と、前記足裏の横アーチに対応する隆起部を足裏の内側縦アーチ及び横アーチの位置に対応させてしっかりと固定することが可能となり足裏の内側縦アーチ及び横アーチのサポートをより的確に行うことができる。
【発明を実施するための最良の形態】
【００１３】
以下、本発明の一実施例を図に基づいて説明する。本発明の実施例では中敷を例にとり、説明するが中敷に限る事無く例えば靴の中底その者に適用してもよい。
図１は靴用外反母趾防止体において横アーチに対応する隆起部を備えた基体の平面図である。図２は靴用外反母趾防止体において横アーチに対応する隆起部を備えた基体の底面図である。図３は靴用外反母趾防止体において内側縦アーチに対応する隆起部を備えた基体の平面図である。図４は靴用外反母趾防止体において横アーチに対応する隆起部を備えた基体のＡ−Ａ断面図である。図５は靴用外反母趾防止体において内側縦アーチに対応する隆起部を備えた基体のＢ−Ｂ断面図である。
【００１４】
図１及び図４において、１は足裏の横アーチに対応する隆起部である。該足裏の横アーチに対応する隆起部１を設けることで足裏の横アーチをサポートすることが可能である。前記足裏の横アーチに対応する隆起物１は、例えばラバー、ＥＶＡ、ポリウレタンを始めとするスポンジゴム等、ある程度腰があり弾性を有する素材で作成する。２は足裏の横アーチに対応する基体である。足裏の横アーチに対応する基体２上に前記横アーチに対応する位置に隆起物１を貼付しても、足裏の横アーチに対応する基体２と前記足裏の横アーチに対応する隆起物１を一体に形成しても良い。
【００１５】
上記足裏の横アーチに対応する基体２の裏面には、図２及び図４に示す様に突条３を設ける。また、図３及び図５に示すように足裏の内側縦アーチに対応する隆起物７を備えた足裏の内側縦アーチに対応する基体５上に細長い形状、或いは円弧状の形状その他の形状をした透孔又は溝４を設ける(本例では細長い矩形状の場合を示す)。突条３は透孔又は溝４にスライド可能に嵌合する形状とする。該透孔又は溝４は突条３より横幅の長い直線状又は曲線状に設け、突条３を嵌合した際に上記足裏の横アーチに対応する隆起物１を備えた上記足裏の横アーチに対応する基体２が左右に動くことを可能とする。前記透孔又は溝４例えば上下方向に複数設け、上記足裏の横アーチに対応する隆起物１を備えた上記足裏の横アーチに対応する基体２の上下の位置調整を可能とする。
【００１６】
上記足裏の横アーチに対応する隆起物１を備えた上記足裏の横アーチに対応する基体２と上記足裏の内側縦アーチに対応する隆起物７を備えた上記足裏の内側縦アーチに対応する基体５を嵌合した時の段差を無くす為、上記靴の中敷下部には図３及び図５に示すように段差６を設ける。
【００１７】
上記足裏の横アーチに対応する隆起物１を備えた上記足裏の横アーチに対応する基体２と上記足裏の内側縦アーチに対応する隆起物７を備えた上記足裏の内側縦アーチに対応する基体５を嵌合し、足裏の横アーチ及び内側縦アーチに合わせて位置調整を行った後固定するため、前記足裏の横アーチの裏面に両面テープを貼付、もしくは接着剤を塗布する。
【００１８】
上記足裏の内側縦アーチに対応する隆起物７を備えた上記足裏の内側縦アーチに対応する基体５の表面の踵に対応する部分に窪み８を設ける。
【００１９】
図１〜図５において９は切り取り線である。上記足裏の横アーチに対応する隆起物１を備えた上記足裏の横アーチに対応する基体２と上記足裏の内側縦アーチに対応する隆起物７を備えた上記足裏の内側縦アーチに対応する基体５を嵌合した時、段差６からはみ出た部位を切り取り線９で切り取る。また、嵌合した前記足裏の横アーチに対応する隆起物１を備えた前記足裏の横アーチに対応する基体２の形状に合わせ、前記足裏の内側縦アーチに対応する隆起物７を備えた前記足裏の内側縦アーチに対応する基体５の周囲を切り取り線９で切り取る。
【００２０】
本例では位置調整固定手段として、溝又は透孔とこれに嵌合する突条及び両面テープ又は接着剤との組み合わせについて述べたが、必ずしもこれに限定されるものではなく，例えば分離した基体同士をベルベットファスナー等により着脱自在に位置調整をして固定することもできる他、分離した基体同士を係合手段等によって着脱自在に位置調整をして固定するようにしてもよい。
【図面の簡単な説明】
【００２１】
【図１】本発明の一例を示す靴用外反母趾防止体の横アーチに対応する隆起部を備えた基体の平面図である。
【図２】本発明の一例を示す靴用外反母趾防止体の横アーチに対応する隆起部を備えた基体の底面図である。
【図３】本発明の一例を示す靴用外反母趾防止体の内側縦アーチに対応する隆起部を備えた基体の平面図である。
【図４】本発明の一例を示す靴用外反母趾防止体の横アーチに対応する隆起部を備えた基体のＡ−Ａ断面図である。
【図５】本発明の一例を示す靴用外反母趾防止体の内側縦アーチに対応する隆起部を備えた基体のＢ−Ｂ断面図である。
【００２２】
１  足裏の横アーチに対応する隆起部
２  足裏の横アーチに対応する基体
３  突条
４  透孔又は溝
５  足裏の内側縦アーチに対応する基体
６  段差
７  足裏の内側縦アーチに対応する隆起物
８  窪み
９  切り取り線
【図１】
2005287726.tif 000003
【図２】
2005287726.tif 000004
【図３】
2005287726.tif 000005
【図４】
2005287726.tif 000006
【図５】
2005287726.tif 000007